(57)【要約】      （修正有）【課題】ベルトの捩りや絡みを簡単に確認することができると共に、素早く正確に着用できるようにしたハーネス型安全帯を提供する。【解決手段】二本のベルト１ａ、１ｂを交差させて結合し、作業者の肩部に掛けられる肩ベルト部４と、胸部から臀部に至る前側ベルト部５および大腿部に巻き付けられる腿ベルト部６を設ける。背中から腰部に沿って大腿部の前側に至る背側ベルト部７とし、前側ベルト部５と背側ベルト部７とが腰部において交差する交差部を互いに連結する。前側ベルト部５の臀部に対応する端部間に尻当てベルト１２を掛け渡し、一対の背側ベルト部７間に背当てベルト１５を渡し、その背当てベルト１５、尻当てベルト１２、前側ベルト部５および背側ベルト部７で囲まれる六角形空間の周囲の複数のベルト部のうち、柔軟性を有するベルト部のそれぞれに長さ方向に沿って延びるテープ状芯材１７を設けてベルト部のそれぞれに保形性を付与する。【選択図】図１
2014233463.tif 000002
【特許請求の範囲】
【請求項１】
二本の柔軟性を有するベルトのそれぞれを長さ方向の一部において互いに交差させて結合し、その交差部からベルトの一端に至る一端側ベルトを前記交差部に近接する部位からの折り返しによって作業者の肩部に掛けられる肩ベルト部を設けると共に、胸部から腰部の左側または右側に沿わせられて臀部に至る前側ベルト部および大腿部に巻き付けられる腿ベルト部を設け、前記交差部からベルトの他端に至る他端側ベルトを背中から腰部の左側または右側に沿って大腿部の前側に至る背側ベルト部とし、前記前側ベルト部と他方のベルトにおける背側ベルト部とが腰部において交差する交差部を互いに連結し、前記前側ベルト部の上部間に、端部がその前側ベルト部に連結される胸ベルトを設け、前記前側ベルト部の臀部に対応する端部間に尻当てベルトを掛け渡したハーネス型安全帯において、
前記一対の背側ベルト部の前記交差部から他端側に片寄った位置に背当てベルトを渡し、その背当てベルト、前記尻当てベルト、前記前側ベルト部および背側ベルト部で囲まれる六角形空間の周囲の複数のベルト部のうち、柔軟性を有するベルト部のそれぞれに長さ方向に沿って延びてベルト部のそれぞれに保形性を付与する塑性変形性を備えたテープ状芯材を設けたことを特徴とするハーネス型安全帯。
【請求項２】
前記前側ベルト部に設けられた芯材を背側ベルト部に対する交差部から胸ベルトの連結位置に向けて延出させた請求項１に記載のハーネス型安全帯。
【請求項３】
前記背側ベルト部に設けられた芯材を前側ベルト部に対する交差部から他端に向けて延出させた請求項１又は２に記載のハーネス型安全帯。
【請求項４】
前記芯材が、ベルト部の内側表面に衝合されて縫着により取り付けられた請求項１乃至３のいずれか１項に記載のハーネス型安全帯。
【請求項５】
前記芯材が、ベルト部の内部に組み込まれた請求項１乃至３のいずれか１項に記載のハーネス型安全帯。
【請求項６】
前記芯材が、ベルト部に巻き付け状態で取付け可能なベルトカバーに取り付けられた請求項１乃至３のいずれか１項に記載のハーネス型安全帯。
【発明の詳細な説明】
【技術分野】
【０００１】
この発明は、高所作業時の安全性を確保するために作業者に装着されるハーネス型安全帯に関する。
【背景技術】
【０００２】
高所作業時に装着されるハーネス型安全帯は、柔軟性を有する一対の肩ベルト部や腿ベルト部で形成されて複数のループを形成するため、各ベルトに捩れや絡みが生じ易く、その捩れや絡みによって着用時の形態を認識することが困難であり、また、捩れや絡みの取り除きに非常に手間がかかり、正確な着用に時間を要するという問題がある。
【０００３】
そのような問題点を解決するため、特許文献１に記載されたハーネス型安全帯においては、二本のベルトを長さ方向の一部において交差し、その交差部からベルトの一端に至る一端側ベルト部を、交差部に近接する部位からの折り返しによって左右の肩に掛けられる肩ベルト部を設けると共に、その肩ベルト部の下側に胸部から腰部の左側または右側に沿わせられて臀部に至る前側ベルト部および大腿部に巻き付けられる腿ベルト部を設け、上記交差部からベルトの他端に至る他端側ベルトを背中から腰部の左側または右側に沿って大腿部の前側に至る背側ベルト部とし、その背側ベルト部と他方のベルトにおける前側ベルト部の交差部を互いに連結し、かつ、一対の前側ベルト部の下端部間に尻当てベルトを渡し、その尻当てベルトと背側ベルト部ならびに前側ベルト部とで形成される五角形の空間に合わせた形状の背当て布で上記空間のすべてまたは一部を塞ぐようにしてベルトの捩れや絡みを防止している。
【先行技術文献】
【特許文献】
【０００４】
【特許文献１】特開２００４−３２１５６２号公報
【発明の概要】
【発明が解決しようとする課題】
【０００５】
ところで、特許文献１においては、ハーネス型安全帯の着用時において背側で形成される五角形空間のすべてまたは一部を塞ぐ背当て布としてメッシュ生地からなるものを採用しており、その背当て布を背側ベルト部や前側ベルト部ならびに尻当てベルトのそれぞれに縫製する取り付けであるため、背当て布の取り付けに非常に手間がかかると共に、安定した強固な取り付けを得ることができないという不都合がある。
【０００６】
また、背当て布およびベルトは柔軟性を有して形状維持する保形性の機能を有していないため、一対のベルトの交差部を吊下げ支持するだけではそれぞれのベルトが束になって吊下げ支持されることになって一対の肩ベルト部を見つけ出すのが困難であり、着用に非常に手間がかかるという不都合もある。
【０００７】
この発明の課題は、ハーネス型安全帯を形成するベルトの捩りや絡みを簡単に確認し、かつ、簡単に元に戻すことができると共に、素早く正確に着用できるようにすることである。
【課題を解決するための手段】
【０００８】
上記の課題を解決するために、この発明においては、二本の柔軟性を有するベルトのそれぞれを長さ方向の一部において互いに交差させて結合し、その交差部からベルトの一端に至る一端側ベルトを前記交差部に近接する部位からの折り返しによって作業者の肩部に掛けられる肩ベルト部を設けると共に、胸部から腰部の左側または右側に沿わせられて臀部に至る前側ベルト部および大腿部に巻き付けられる腿ベルト部を設け、前記交差部からベルトの他端に至る他端側ベルトを背中から腰部の左側または右側に沿って大腿部の前側に至る背側ベルト部とし、前記前側ベルト部と他方のベルトにおける背側ベルト部とが腰部において交差する交差部を互いに連結し、前記前側ベルト部の上部間に、端部がその前側ベルト部に連結される胸ベルトを設け、前記前側ベルト部の臀部に対応する端部間に尻当てベルトを掛け渡したハーネス型安全帯において、前記一対の背側ベルト部の前記交差部から他端側に片寄った位置に背当てベルトを渡し、その背当てベルト、前記尻当てベルト、前記前側ベルト部および背側ベルト部で囲まれる六角形空間の周囲の複数のベルト部のうち、柔軟性を有するベルト部のそれぞれに長さ方向に沿って延びてベルト部のそれぞれに保形性を付与する塑性変形性を備えたテープ状芯材を設けた構成を採用したのである。
【０００９】
ここで、尻当てベルトはゴム等の弾性体から成形されて保形性を有するものであってもよく、合成繊維ベルトから形成されて柔軟性を有し、両端部が前側ベルト部の下端部に重ねられて縫合により連結されたものであってもよい。柔軟性を有する尻当てベルトの場合には、その尻当てベルトにも形状保持用の塑性変形性を備えたテープ状芯材を設け、保形性を有する尻当てベルトの場合にはテープ状芯材の取り付けを不要とする。
【００１０】
上記のように、六角形空間を形成する複数のベルト部のうち、柔軟性を有するベルト部のそれぞれに長さ方向に沿って延びる形状保持用の塑性変形性を備えたテープ状芯材を設けることにより、一対のベルトの交差部を吊下げる状態において、複数のベルト部のそれぞれは六角形空間を形成する状態を保持し、一対の肩ベルト部は交差部から吊下げられる状態とされる。
【００１１】
このため、一対の肩ベルト部を簡単に見つけ出すことができると共に、ベルトの捩じれや絡みも簡単に認識することができ、その捩じれや絡みを簡単に元に戻すことができる。また、一対の肩ベルト部を持つことによってハーネス型安全帯は着用時の形態が作り出され、正確に素早く着用することができる。
【００１２】
この発明に係るハーネス型安全帯において、前側ベルト部に設けられた芯材を背側ベルト部に対する交差部から胸ベルトの連結位置に向けて延出させると、前側ベルト部の捩じれ防止に効果を挙げることができる。
【００１３】
また、背側ベルト部に設けられた芯材を前側ベルト部に対する交差部から他端に向けて延出させることにより、背側ベルト部の端部が六角形空間内に進入して他のベルト部に絡むのを防止することができる。
【００１４】
六角形空間を形成する複数のベルト部のそれぞれに保形性を付与するベルト状芯材とは、外力を加えると、その負荷方向に変形して変形状態を維持する塑性変形性を有するものをいう。
【００１５】
上記のテープ状芯材は、ベルト部の内側表面に衝合されて縫着により取り付けるようにしてもよく、ベルト部の編み込みによってベルト部内に内装されたものであってもよい。あるいは、ベルト部を袋状として、その内部に挿入する取り付けとしてもよい。さらには、ベルト部を包み込み可能な柔軟なベルトカバーの幅方向の中央部に取り付けて、上記ベルトカバーの取り付けによってベルトに形状保持機能を付与してもよい。
【発明の効果】
【００１６】
この発明においては、上記のように、一対のベルトの交差部を吊下げ支持すると、一対の肩ベルト部が交差部から垂れ下がる状態となるため、一対の肩ベルト部を簡単に見つけ出すことができると共に、ベルトの捩じれや絡みも簡単に認識することができ、その捩じれや絡みを簡単に元に戻すことができる。また、一対の肩ベルト部を持つことによってハーネス型安全帯は着用時の形態を作り出すため、正確に素早く着用することができる。
【図面の簡単な説明】
【００１７】
【図１】この発明に係るハーネス型安全帯の実施の形態を示す背面図
【図２】ハーネス型安全帯の着用状態を示す図
【図３】（ａ）は図１のIII−III線に沿った断面図、（ｂ）はテープ状芯材の取り付けの他の例を示す断面図、（ｃ）はテープ状芯材の取り付けのさらに他の例を示す断面図
【図４】テープ状芯材の取り付けのさらに他の例を示す背面図
【図５】図４のV−V線に沿った断面図
【図６】図４に示すテープ状芯材が取り付けられたベルトカバーの展開図
【発明を実施するための形態】
【００１８】
以下、この発明の実施の形態を図面に基づいて説明する。図１に示すように、この発明に係るハーネス型安全帯は一対のベルト１ａ、１ｂを有している。一対のベルト１ａ、１ｂのそれぞれは合成繊維の編み込みにより形成されている。実施の形態では、ポリエステル繊維（テトロン）の編み込みにより形成されて柔軟性を有している。
【００１９】
一対のベルト１ａ、１ｂは長さ方向の一部において交差され、その交差部がベルト挿入孔を有する保持板２の取り付けによって結合され、その結合部に環体３が取り付けられている。
【００２０】
一対のベルト１ａ、１ｂにおいて、交差部から一端に至る一端側ベルトは、上記交差部に近接する部位からの折り返しによって作業者の肩部に掛けられる肩ベルト部４が設けられている。
【００２１】
一対のベルト１ａ、１ｂのうち、一方のベルト１ａの一端側ベルトには、肩ベルト部４の下端に連なって胸部から腰部の左側に沿わせられて臀部に至る前側ベルト部５と、その前側ベルト部５に連設して左大腿部に巻き付けられる腿ベルト部６が設けられている。
【００２２】
また、他方のベルト１ｂの一端側ベルトには、一方のベルト１ａと同様に、肩ベルト部４の下端に連なって胸部から腰部の右側に沿わせられて臀部に至る前側ベルト部５と、その前側ベルト部５に連設して右大腿部に巻き付けられる腿ベルト部６が設けられている。
【００２３】
一対のベルト１ａ、１ｂにおいて、交差部から他端に至る他端側ベルトは、背側ベルト部７とされる。一方のベルト１ａにおける背側ベルト部７は背中から腰部の右側に沿って右大腿部の前側に至る長さとされており、他方のベルト１ｂにおける背側ベルト部７は背中から腰部の左側に沿って左大腿部の前側に至る長さとされている。
【００２４】
一方のベルト１ａにおける前側ベルト部５の端部は他方のベルト１ｂの背側ベルト部７の端部と腰部の右側位置で交差し、その交差部が縫合によって互いに連結されている。
【００２５】
また、他方のベルト１ｂにおける前側ベルト部５は一方のベルト１ａの背側ベルト部７の端部と腰部の左側位置で交差し、その交差部が縫合によって互いに連結されている。８は前側ベルト部５と背側ベルト部７を互いに連結する縫合部を示す。
【００２６】
一対の前側ベルト部５のそれぞれ上部には胸ベルト９の一端部が縫合により連結され、一方の胸ベルト９の他端部に取り付けられた雄バックル１０と他方の胸ベルト９の他端部に取り付けられた雌バックル１１を互いに係合させることによって胸ベルト９は連結状態とされる。
【００２７】
一対の前側ベルト部５の下端部間には尻当てベルト１２が渡されている。尻当てベルト１２は樹脂成形品とされて弾性を有し、その両端部のそれぞれに、図では省略されているが、２本のベルト挿入孔が並列に形成され、そのベルト挿入孔に対するベルト１ａ、１ｂの挿入によって一対の前側ベルト部５の下端部間に対する取り付けとされている。
【００２８】
一対の腿ベルト部６のそれぞれ端部は折り返されて二重とされ、その折曲げ部のそれぞれに連結具１３が取り付けられている。連結具１３は一対の背側ベルト部７のそれぞれ端部に取付けられた連結具１４に対して係脱自在とされ、その係合によって腿ベルト部６は大腿部に巻き付くループ状に保持される。このとき、一方のベルト１ａにおける腿ベルト部６の端部の連結具１３は他方のベルト１ｂにおける背側ベルト部７の端部の連結具１４に対して係合される。また、他方のベルト１ｂにおける腿ベルト部６の端部の連結具１３は一方のベルト１ａにおける背側ベルト部７の端部の連結具１４に対して係合される。
【００２９】
一対の背側ベルト部７には、保持板２によって連結された交差部から他端側に片寄った位置に背当てベルト１５が渡され、その背当てベルト１５の両端部が一対の背側ベルト部７のそれぞれに重ね合わされて縫合されている。
【００３０】
背当てベルト１５の取り付けにより、その背当てベルト１５、尻当てベルト１２、前側ベルト部５および背側ベルト部７によって六角形空間１６が形成される。この六角形空間１６を形成する複数のベルト部のうち、尻当てベルト１２を除く他のベルト部５、７、１５にはテープ状芯材１７の取り付けによって形状を維持する保形性が付与されている。
【００３１】
テープ状芯材１７は各ベルトの長さ方向に沿って設けられている。このテープ状芯材１７は、外力を加えると塑性変形して変形状態を維持する塑性変形性を有している。ここでは、塑性変形性を有するポリエチレン製の多数本の並列された芯線をナイロンあるいはポリエステルからなる合成繊維糸の編み込によりテープ状としたものを採用している。
【００３２】
塑性変形性を有する上記芯材１７は、六角形空間１６を形成する複数のベルト部５、７、１５のそれぞれに対して長さ方向に沿って取り付けられている。図３（ａ）では、前側ベルト部５における内側表面の長さ方向に沿って芯材１７を重ね、その両側縁部の縫合によって取付け状態としているが、図３（ｂ）に示すように、編み込みよるベルトの形成時に、そのベルト内部に内装してもよい。あるいは、図３（ｃ）に示すように、複数のベルト部５、７、１５のそれぞれのベルトを袋状として、その内部に挿し込むようにしてもよい。
【００３３】
柔軟性を有するベルト部５、７、１５のそれぞれに塑性変形性を有するテープ状芯材１７を設けることにより、それぞれのベルト部５、７、１５は直線状態に形状維持される。このとき、尻当てベルト１２も成形状態を保持するため、複数のベルト部５、７、１２、１５のそれぞれによって六角形空間１６は形状維持されることになる。
【００３４】
その結果、環体３を持ってハーネス型安全帯を吊下げ支持すると、複数のベルト部５、７、１２、１５のそれぞれは六角形空間１６を形成する状態を保持し、一対の肩ベルト部４は交差部から垂れ下がる状態とされる。
【００３５】
このため、一対の肩ベルト部４を簡単に見つけ出すことができると共に、ベルト１ａ、１ｂや胸ベルト９の捩じれや絡みも簡単に認識することができ、その捩じれや絡みを簡単に元に戻すことができる。また、一対の肩ベルト部４を持つことによってハーネス型安全帯は着用時の形態が作り出される。このため、正確に素早く着用することができる。
【００３６】
着用に際しては、一対の肩ベルト部４を肩に掛けて背側ベルト部７を背中に沿わせ、一対の腿ベルト部６を大腿部に巻き付け、その腿ベルト部６の端部の連結具１３と背側ベルト部７の端部の連結具１４の係合により巻き付け状態を保持する。また、一対の胸ベルト９の端部の雄バックル１０と雌バックル１１の係合によって胸ベルト９を連結する。図２はハーネス型安全帯の着用状態を示している。
【００３７】
図１に示すように、前側ベルト部５に設けられる芯材１７を背側ベルト部７に対する縫合部８から胸ベルト９の連結位置に向けて延出させておくと、前側ベルト部５の捩じれ防止に効果を挙げることができる。
【００３８】
また、背側ベルト部７に設けられた芯材１７を前側ベルト部５に対する縫合部８から他端に向けて延出させておくと、背側ベルト部７の端部が六角形空間１６内に進入して他のベルト部に絡むのを防止することができる。
【００３９】
図３では、ベルト部５、７、１５のそれぞれに塑性変形性を有するテープ状芯材１７を直接設けるようにしたが、図６に示すように、ベルト部を包み込み可能な幅寸法とされた柔軟なベルトカバー２０の表面一側部と裏面他側部に相互に係合可能な雌雄の面ファスナ２１を取付け、そのベルトカバー２０の裏面における幅方向の中央部にテープ状芯材１７を取り付け、上記ベルトカバー２０を図４および図５に示すように、複数のベルト部５、７、１５のそれぞれに巻き付け、面ファスナ２１の係合によりベルトカバー２０の取り付けとして、複数のベルト部５、７、１５のそれぞれに芯材１７を設けるようにしてもよい。
【００４０】
実施の形態においては、尻当てベルト１２として樹脂成形品からなるものを示したが、縫合によって両端部が背側ベルト部７に連結される柔軟性を有するベルトからなるものであってもよい。この場合、尻当てベルト１２にも芯材１７を取り付けて保形性を付与する。
【符号の説明】
【００４１】
１ａ  ベルト
１ｂ  ベルト
４    肩ベルト部
５    前側ベルト部
６    腿ベルト部
７    背側ベルト部
９    胸ベルト
１２  尻当てベルト
１５  背当てベルト
１６  六角形空間
１７  芯材
【図１】
2014233463.tif 000003
【図２】
2014233463.tif 000004
【図３】
2014233463.tif 000005
【図４】
2014233463.tif 000006
【図５】
2014233463.tif 000007
【図６】
2014233463.tif 000008